(57)【特許請求の範囲】
【請求項１】
画素を間引くことにより、画像を縮小する画像縮小方法において、対象画素中のすべての画素に情報を付与する情報付与処理と、その情報付与処理により付与された画素の情報を検出する検出処理と、その検出処理により得られた画素の情報に基づいて、所定の画素を保持する保持処理とからなり、前記保持処理は、前記検出処理により得られた極大の情報を有する画素だけの場合又は極大の情報を有する画素が多い場合は対象画素中の最大値の画素を保持し、極小の情報を有する画素だけの場合又は極小の情報を有する画素が多い場合は対象画素中の最小値の画素を保持する画像縮小方法。
【請求項２】
請求項１に記載の画像縮小方法において、前記保持処理は、前記検出処理により得られた極大又は極小の情報を有する画素を保持する画像縮小方法。
【発明の詳細な説明】
【０００１】
【発明の属する技術分野】
本発明は、画像を縮小する方法に特徴を有する画像縮小方法に関するものである。
【０００２】
【従来の技術】
画像形成装置における縮小方法には、主走査方向及び副走査方向において、所定画素数毎に画素を間引く、いわゆる単純間引きによる縮小方法がある。しかし、この縮小方法において、間引かれる画素のみに有効な情報がある場合、例えば細線のように１画素のラインで画データが構成されている場合には、この画データが間引かれると、この細線が完全に欠落してしまうこととなる。
【０００３】
そこで、単純間引きで縮小する場合には、間引く画素の前後の画素を参照して間引くか否かを決定する方法が採用されている。すなわち、間引く画素が「黒画素」であって、その前後の画素が「白画素」である場合は、その黒画素を保持する画像縮小回路が知られている。
【０００４】
【発明が解決しようとする課題】
しかしながら、画素には、「黒画素」だけでなく、「白画素」もある。すなわち、前記画像縮小回路は、「白画素」中の「黒画素」、つまり１画素で構成された黒細線に対しては効果的であるが、これとは逆に、「黒画素」中の「白画素」、つまり１画素で構成された白細線に対しては、逆効果である。しかも、縮小倍率が小さいほど、つまり小さく縮小する場合ほど、間引く画素が多くなる。すなわち、縮小倍率が５０〔％〕の場合は、全画素中の半分が間引かれることとなる。さらに、縮小倍率が５０〔％〕以下の場合は、全画素中の半分以上が間引かれることとなる。換言すれば、縮小倍率が小さくなるほど、間引く画素よりも、残す画素がより重要となる。従って、縮小倍率が小さいほど、この問題は一層顕著なものとなる。
【０００５】
しかも、写真のように中間調を有する画像を縮小コピーした場合には、「白画素」が有効な情報として取り扱われず、縮小コピー後の画像が「黒」を強調した画像、いわば画像の全体が「黒っぽく」なる。
【０００６】
本発明は、このような問題点に着目してなされたものであって、その目的は、有効な画素を保持することが可能な画像縮小方法を提供することにある。
【０００７】
【課題を解決するための手段】
上記の目的を達成するために、請求項１に記載の発明では、画素を間引くことにより、画像を縮小する画像縮小方法において、対象画素中のすべての画素に情報を付与する情報付与処理と、その情報付与処理により付与された画素の情報を検出する検出処理と、その検出処理により得られた画素の情報に基づいて、所定の画素を保持する保持処理とからなり、前記保持処理は、前記検出処理により得られた極大の情報を有する画素だけの場合又は極大の情報を有する画素が多い場合は対象画素中の最大値の画素を保持し、極小の情報を有する画素だけの場合又は極小の情報を有する画素が多い場合は対象画素中の最小値の画素を保持する。
【０００８】
請求項２に記載の発明では、請求項１に記載の画像縮小方法において、前記保持処理は、前記検出処理により得られた極大又は極小の情報を有する画素を保持する。
【０００９】
【発明の実施の形態】
以下に、本発明に係る画像縮小方法を複写機能付きファクシミリ装置に具体化した一実施形態について図面を用いて説明する。
【００１０】
図１に示すように、複写機能付きファクシミリ装置１は、ＭＰＵ１０、ＲＯＭ２０、ＲＡＭ３０、読取部４０、記録部５０、操作部６０、表示部７０、画像メモリ８０、コーデック９０、モデム１００、及びＮＣＵ１１０から構成されるとともに、各部１０〜１１０がバス１２０を介してそれぞれ接続されている。
【００１１】
ＭＰＵ１０は、複写機能付きファクシミリ装置１を構成する各部を制御する。ＲＯＭ２０は、複写機能付きファクシミリ装置１を制御するためのプログラムを記憶する。ＲＡＭ３０は、複写機能付きファクシミリ装置１に関する各種情報を一時的に記憶する。
【００１２】
読取部４０は、原稿上の画像データを読み取って、白黒多値の画データを得て、これを本発明の画像縮小方法を施した後、さらに２値化して出力する。記録部５０は、電子写真方式のプリンタよりなり、受信画データや、コピー動作において読取部４０にて読み取られた原稿の画データを、記録紙上に記録する。
【００１３】
操作部６０は、ＦＡＸモード又はコピーモードに設定するためのＦＡＸ／コピーキー６１、短縮番号の登録又は短縮番号から発信するための短縮キー６２、予め登録したＦＡＸ番号をワンタッチで指定するためのワンタッチキー６３、電話番号又はコピー部数等を入力するためのテンキー（＊，＃キーを含む）６４、原稿の読み取り動作を開始させるためのスタートキー６５、拡大倍率又は縮小倍率を設定するための倍率キー６６等の各種操作キーを備えている。ＬＣＤ等よりなる表示部７０は、複写機能付きファクシミリ装置１の動作状態等の各種情報の表示を行う。
【００１４】
画像メモリ８０は、受信画データや読取部４０で読み取られた画データを一時的に記憶する。コーデック９０は、読取部４０にて読み取られた画データを送信のためにＭＨ，ＭＲ，ＭＭＲ方式等により符号化（エンコード）する。また、コーデック９０は、受信画データを復号（デコード）する。
【００１５】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌとの接続を制御するとともに、相手先の電話番号（ＦＡＸ番号を含む）に対応したダイヤル信号の送出及び着信を検出するための機能を備えている。
【００１６】
次に、読取部４０では、白黒多値の画データを構成する任意の画素Ｐｎ  において、その画素Ｐｎ  の値が大きい方を「白」、一方画素Ｐｎ  の値の小さい方を「黒」とすると、任意の画素Ｐｎ  は、その前後の画素Ｐｎ−１  ，Ｐｎ＋１  との関係から、図２〜図５に示すように分類することができる。
【００１７】
すなわち、図２（ａ）に示すように、画素Ｐｎ−１  から画素Ｐｎ  まで増大し、画素Ｐｎ  から画素Ｐｎ＋１  まで減少する場合、つまり画素Ｐｎ  が極大となる場合がある。従って、図２（ａ）に示すような場合の画素Ｐｎ  には、その前後の画素Ｐｎ−１  ，Ｐｎ＋１  との関係から、「極大」の情報を付与する。
【００１８】
一方、これとは逆に、図２（ｂ）に示すように、画素Ｐｎ−１  から画素Ｐｎ  まで減少し、画素Ｐｎ  から画素Ｐｎ＋１  まで増大する場合、つまり画素Ｐｎ  が極小となる場合がある。従って、図２（ｂ）に示すような場合の画素Ｐｎ  には、その前後の画素Ｐｎ−１  ，Ｐｎ＋１  との関係から、「極小」の情報を付与する。
【００１９】
また、図３（ａ）に示すように、画素Ｐｎ−１  、画素Ｐｎ  、画素Ｐｎ＋１  へと増大する場合、図３（ｂ）に示すように、画素Ｐｎ−１  から画素Ｐｎ  に増大し、画素Ｐｎ  と画素Ｐｎ＋１  とが同一である場合、図３（ｃ）に示すように、画素Ｐｎ−１  と画素Ｐｎ  とが同一で、画素Ｐｎ  から画素Ｐｎ＋１  に増大する場合がある。従って、図３（ａ）〜（ｃ）に示すような場合の画素Ｐｎ  には、その前後の画素Ｐｎ−１  ，Ｐｎ＋１  との関係から、「増大」の情報を付与する。
【００２０】
加えて、図４（ａ）に示すように、画素Ｐｎ−１  、画素Ｐｎ  、画素Ｐｎ＋１  へと減少する場合、図４（ｂ）に示すように、画素Ｐｎ−１  から画素Ｐｎ  に減少し、画素Ｐｎ  と画素Ｐｎ＋１  とが同一である場合、図４（ｃ）に示すように、画素Ｐｎ−１  と画素Ｐｎ  とが同一で、画素Ｐｎ  から画素Ｐｎ＋１  に減少する場合がある。従って、図４（ａ）〜（ｃ）に示すような場合の画素Ｐｎ  には、その前後の画素Ｐｎ−１  ，Ｐｎ＋１  との関係から、「減少」の情報を付与する。
【００２１】
さらに、図５に示すように、画素Ｐｎ−１  、画素Ｐｎ  、画素Ｐｎ＋１が一定で増大も減少もない場合がある。従って、図５に示すような場合の画素Ｐｎ  には、その前後の画素Ｐｎ−１  ，Ｐｎ＋１  との関係から、「変化無」の情報を付与する。
【００２２】
なお、１ラインの画データにおける先頭の画素Ｐ１  については、次画素Ｐ２  が画素Ｐ１  よりも大きい場合は先頭の画素Ｐ１  に「増大」の情報を付与し、次画素Ｐ２  が画素Ｐ１  よりも小さい場合は先頭の画素Ｐ１  に「減少」の情報を付与し、次画素Ｐ２  が画素Ｐ１  と同一の場合は先頭の画素Ｐ１  に「変化無」の情報を付与する。
【００２３】
また、１ラインの画データにおける最後の画素Ｐｎ  については、画素Ｐｎ  が画素Ｐｎ−１  よりも大きい場合は最後の画素Ｐｎ  に「増大」の情報を付与し、画素Ｐｎ  が画素Ｐｎ−１  よりも小さい場合は最後の画素Ｐｎ  に「減少」の情報を付与し、画素Ｐｎ  が画素Ｐｎ−１  と同一の場合は最後の画素Ｐｎ  に「変化無」の情報を付与する。
【００２４】
従って、読取部４０から出力される白黒多値の画データを構成するすべての画素Ｐｎ  に対して、「極大」、「極小」、「増大」、「減少」又は「変化無」のいずれかの情報を付与することができる。
【００２５】
次に、対象画素中のいずれの画素を保持するかを決定する方法について説明する。なお、ここでは説明を容易にするために、縮小倍率が３３〔％〕の場合、つまり対象画素数が３画素であって、その３画素中から１画素を保持する場合、換言すれば３画素中から２画素を間引く場合を、例にして説明する。
【００２６】
〔１〕図６（ａ）に示すように、対象画素中に「極大」の情報を有する画素だけが存在する場合、又は図６（ｂ）に示すように、対象画素中に「極大」の情報を有する画素が多い場合は、対象画素中の最大値の画素を保持する。
【００２７】
〔２〕図７（ａ）に示すように、対象画素中に「極小」の情報を有する画素だけが存在する場合、又は図７（ｂ）に示すように、対象画素中に「極小」の情報を有する画素が多い場合は、対象画素中の最小値の画素を保持する。
【００２８】
〔３〕図８（ａ）に示すように、対象画素中に「増大」の情報を有する画素だけが存在する場合、又は図８（ｂ）に示すように、対象画素中に「増大」の情報を有する画素が多い場合は、対象画素中の最大値の画素を保持する。
【００２９】
〔４〕図９（ａ）に示すように、対象画素中に「減少」の情報を有する画素だけが存在する場合、又は図９（ｂ）に示すように、対象画素中に「減少」の情報を有する画素が多い場合は、対象画素中の最小値の画素を保持する。
【００３０】
〔５〕前記〔１〕〜〔４〕に該当しない場合は、以下のように対象画素中の画素を保持する。具体的には、対象画素数が偶数の場合、例えば縮小倍率が２５〔％〕の場合、つまり対象画素数が４画素であって、その４画素中から１画素を保持する場合、換言すれば４画素中から３画素を間引く場合には、以下のような場合が生じる。すなわち、図１０（ａ）に示すように、対象画素中に「極大」の情報を有する画素と、「極小」の情報を有する画素との数が同一の場合がある。また、図１０（ｂ）及び（ｃ）に示すように、対象画素中に「増大」の情報を有する画素と、「減少」の情報を有する画素との数が同一の場合がある。さらに、図１０（ｄ）に示すように、対象画素中に「変化無」の情報を有する画素が連続する場合がある。これらの場合は、直前に保持した画素が最大値の場合は、対象画素中の最小値の画素を保持する。一方、これとは逆に、直前に保持した画素が最小値の場合は、対象画素中の最大値の画素を保持する。
【００３１】
次に、複写機能付きファクシミリ装置１において、縮小コピーするときの動作について、図１１及び図１２に示すフローチャートを用いて説明する。なお、この動作は、ＲＯＭ２０に記憶されたプログラムに基づき、ＭＰＵ１０の制御により実行される。
【００３２】
さて、読取部４０に原稿が載置され、倍率キー６６で縮小倍率が設定されて、スタートキー６５が操作されると、
図１１に示すステップＳ１においては、読取部４０にて原稿の画データの読み取りが開始される。そして、現ラインの画データが間引くラインであるか否かが判断される。すなわち、倍率キー６６で設定された縮小倍率に応じて、現ラインの画データが間引くラインであるか否かが判断される。具体的には、例えば縮小倍率が３３〔％〕である場合は、３ラインの画データ毎に２ラインの画データが間引かれることになる。そして、現ラインの画データが間引くラインである場合は、ステップＳ２に移行する。一方、現ラインの画データが間引くラインでない場合は、ステップＳ３に移行する。
【００３３】
ステップＳ２においては、１ラインの画データが読み飛ばされる。
ステップＳ３においては、倍率キー６６で設定された縮小倍率に応じて、対象画素数が決定される。そして、その対象画素の前後の１画素分を加えた画素が読み込まれる。具体的には、例えば縮小倍率が３３〔％〕である場合、つまり対象画素数が３画素である場合は、画素Ｐｎ−１  ，画素Ｐｎ  ，画素Ｐｎ＋１  の３画素が対象画素となる。そして、その対象画素の前後の１画素、すなわち画素Ｐｎ−２  と画素Ｐｎ＋２  とを加えた画素が読み込まれる。つまり、画素Ｐｎ−２  ，画素Ｐｎ−１  ，画素Ｐｎ  ，画素Ｐｎ＋１  ，画素Ｐｎ＋２  の５画素が読み込まれる。
【００３４】
ステップＳ４においては、画素Ｐｎ−１  ，画素Ｐｎ  ，画素Ｐｎ＋１  に対して、「極大」、「極小」、「増大」、「減少」又は「変化無」のいずれかの情報が付与される（情報付与処理）。
【００３５】
図１２に示すステップＳ１１においては、対象画素中に「極大」の情報を有する画素だけが存在するか、又は対象画素中に「極大」の情報を有する画素が多いか否かが判断される（検出処理）。対象画素中に「極大」の情報を有する画素だけが存在するか、又は対象画素中に「極大」の情報を有する画素が多い場合は、ステップＳ１２に移行する。一方、それら以外の場合は、ステップＳ１３に移行する。
【００３６】
ステップＳ１２においては、対象画素中における最大値の画素が保持される（保持処理）。換言すれば、対象画素中における最大値の画素以外の画素が間引かれる。
【００３７】
ステップＳ１３においては、対象画素中に「極小」の情報を有する画素だけが存在するか、又は対象画素中に「極小」の情報を有する画素が多いか否かが判断される（検出処理）。対象画素中に「極小」の情報を有する画素だけが存在するか、又は対象画素中に「極小」の情報を有する画素が多い場合は、ステップＳ１４に移行する。一方、それら以外の場合は、ステップＳ１５に移行する。
【００３８】
ステップＳ１４においては、対象画素中における最小値の画素が保持される（保持処理）。換言すれば、対象画素中における最小値の画素以外の画素が間引かれる。
【００３９】
ステップＳ１５においては、対象画素中に「増大」の情報を有する画素だけが存在するか、又は対象画素中に「増大」の情報を有する画素が多いか否かが判断される（検出処理）。対象画素中に「増大」の情報を有する画素だけが存在するか、又は対象画素中に「増大」の情報を有する画素が多い場合は、ステップＳ１６に移行する。一方、それら以外の場合は、ステップＳ１７に移行する。
【００４０】
ステップＳ１６においては、対象画素中における最大値の画素が保持される（保持処理）。換言すれば、対象画素中における最大値の画素以外の画素が間引かれる。
【００４１】
ステップＳ１７においては、対象画素中に「減少」の情報を有する画素だけが存在するか、又は対象画素中に「減少」の情報を有する画素が多いか否かが判断される（検出処理）。対象画素中に「減少」の情報を有する画素だけが存在するか、又は対象画素中に「減少」の情報を有する画素が多い場合は、ステップＳ１８に移行する。一方、それら以外の場合は、ステップＳ１９に移行する。
【００４２】
ステップＳ１８においては、対象画素中における最小値の画素が保持される（保持処理）。換言すれば、対象画素中における最小値の画素以外の画素が間引かれる。
【００４３】
ステップＳ１９においては、直前に最大値の画素を保持したか否かが判断される（検出処理）。直前に最大値の画素を保持した場合は、ステップＳ２０に移行する。一方、直前に最大値の画素を保持していない場合、つまり直前に最小値の画素を保持した場合は、ステップＳ２１に移行する。
【００４４】
ステップＳ２０においては、対象画素中における最小値の画素が保持される（保持処理）。換言すれば、対象画素中における最小値の画素以外の画素が間引かれる。
【００４５】
ステップＳ２１においては、対象画素中における最大値の画素が保持される（保持処理）。換言すれば、対象画素中における最大値の画素以外の画素が間引かれる。
【００４６】
図１３に示すステップＳ３１においては、画素のデータが２値化される。
ステップＳ３２においては、対象画素が１画素シフトされる。
ステップＳ３３においては、１頁の画データを構成するすべての画素の読み取りが終了したか否かが判断される。１頁の画データを構成するすべての画素の読み取りが終了した場合は、この処理を終了する。一方、１頁の画データを構成するすべての画素の読み取りが終了していない場合は、図１１に示すステップＳ１に戻る。なお、２値化された画データは、バス１２０を介して、記録部５０に転送され、記録紙上に記録される。
【００４７】
なお、本実施形態では、縮小倍率３３〔％〕である場合、つまり対象画素数が３画素である場合を想定したが、縮小倍率に応じて対象画素数が適宜変更されて、縮小コピーできることは言うまでもない。
【００４８】
以上、詳述したように本実施形態によれば、次のような作用、効果を得ることができる。
（１）倍率キー６６で設定された縮小倍率に応じて、対象画素数が決定され、その対象画素の前後の１画素分を加えた画素が読み込まれる。そして、対象画素中の画素が有する情報に応じて、有効な画素が保持されている。すなわち、対象画素中に「極大」の情報を有する画素だけが存在するか、又は対象画素中に「極大」の情報を有する画素が多い場合は、対象画素中における最大値の画素が保持される。また、対象画素中に「極小」の情報を有する画素だけが存在するか、又は対象画素中に「極小」の情報を有する画素が多い場合は、対象画素中における最小値の画素が保持される。さらに、対象画素中に「増大」の情報を有する画素だけが存在するか、又は対象画素中に「増大」の情報を有する画素が多い場合は、対象画素中における最大値の画素が保持される。併せて、対象画素中に「減少」の情報を有する画素だけが存在するか、又は対象画素中に「減少」の情報を有する画素が多い場合は、対象画素中における最小値の画素が保持される。加えて、直前に最大値の画素を保持した場合は、対象画素中における最小値の画素が保持され、直前に最大値の画素を保持していない場合は、対象画素中における最大値の画素が保持される。従って、「黒画素」だけでなく、「白画素」であっても、その白画素が有効な画素であるとして保持することができる。具体的に言えば、「黒画素」中の「白画素」、つまり１画素で構成された白細線であっても、その白細線が有効な画素として保持することができる。
【００４９】
（２）その結果、例えば写真のように中間調を有する画像を縮小コピーする場合には、白画素が有効な画素として保持される。このため、縮小コピー後の画像が「黒」が強調された画像、いわば画像の全体が「黒っぽく」なることはない。従って、写真のように中間調を有する画像を縮小コピーした場合であっても、原稿の画像を忠実に縮小コピーすることができる。
【００５０】
（３）縮小倍率が５０〔％〕以下の場合は、全画素中の半分以上が間引かれることとなる。換言すれば、縮小倍率が小さくなるほど、間引く画素よりも、残す画素がより重要となる。このため、「黒画素」または「白画素」に拘わりなく、有効な画素を保持している。従って、縮小倍率が５０〔％〕以下の場合であっても、原稿の画像を忠実に縮小コピーすることができる。
【００５１】
（４）１画素ずつシフトして、１頁の画データを構成するすべての画素を対象画素としている。しかも、対象画素中において保持すべき画素が決定すると、その決定した画素を記録紙に記録している。つまり、読取部４０で読み取った原稿の画データを画像メモリ８０に記憶してから記録部５０で記録紙に記録する構成ではなく、読取部４０で原稿の画データを読み取りながら、記録部５０で記録紙に記録する構成である。このため、例えばファクシミリ装置において、受信画データを縮小して記録紙に記録する場合であっても、画像メモリ８０を備えていないファクシミリ装置に適用することもできる。換言すれば、リアルタイムで受信画データを記録紙に記録するファクシミリ装置であっても、本実施形態を適用することができる。従って、画像メモリ８０を備えていない廉価なコピー装置やファクシミリ装置を提供することができる。
【００５２】
（５）直前に最大値の画素を保持した場合には、最小値の画素が保持される。一方、直前に最小値の画素を保持した場合には、最大値の画素が保持される。このため、「黒画素」と「白画素」とが交互に連続した１ラインの画データを有する原稿を、縮小コピーする場合であっても、「黒画素」と「白画素」とをコピー後の記録紙に反映することができる。従って、原稿の画像を忠実に縮小コピーすることができる。
【００５３】
なお、前記実施形態は、次のように変更して具体化することも可能である。
・前記実施形態では、縮小コピーをプログラムを用いて処理したが、読み取った原稿の画データを画像メモリ８０に記憶することなく、リアルタイムで縮小コピーする構成であるため、ハードウェアで構成しても良い。
【００５４】
さらに、上記実施形態より把握される請求項以外の技術的思想について、以下にそれらの効果と共に記載する。
〔１〕保持処理は、検出処理により得られた極大の情報を有する画素だけの場合又は極大の情報を有する画素が多くなく、極小の情報を有する画素だけの場合又は極小の情報を有する画素が多くない場合であって、増大の情報を有する画素だけの場合又は増大の情報を有する画素が多い場合は対象画素中の最大値の画素を保持し、減少の情報を有する画素だけの場合又は減少の情報を有する画素が多い場合は対象画素中の最小値の画素を保持する画像縮小方法。このように構成すれば、有効な画素を保持することができる。
【００５５】
〔２〕保持処理は、検出処理により得られた極大の情報を有する画素だけの場合又は極大の情報を有する画素が多くなく、極小の情報を有する画素だけの場合又は極小の情報を有する画素が多くなく、増大の情報を有する画素だけの場合又は増大の情報を有する画素が多くなく、減少の情報を有する画素だけの場合又は減少の情報を有する画素が多くない場合であって、直前に最大値の画素を保持した場合は、最小値の画素を保持し、直前に最小値の画素を保持した場合は、最大値の画素を保持する画像縮小方法。このように構成すれば、有効な画素を保持することができる。
【００５６】
〔３〕画像縮小方法を、コンピュータで実行させるためのプログラムを記録した記録媒体。このように構成すれば、有効な画素を保持することが可能なプログラムを記録した記録媒体を提供することができる。
【００５７】
【発明の効果】
本発明は、以上のように構成されているため、次のような効果を奏する。
請求項１，請求項２に記載の発明によれば、有効な画素を保持することができる。
【図面の簡単な説明】
【図１】複写機能付きファクシミリ装置の構成を示すブロック図。
【図２】（ａ）画素Ｐｎ  が「極大」の情報を有する場合を説明するための説明図。
（ｂ）画素Ｐｎ  が「極小」の情報を有する場合を説明するための説明図。
【図３】（ａ）〜（ｃ）画素Ｐｎ  が「増大」の情報を有する場合を説明するための説明図。
【図４】（ａ）〜（ｃ）画素Ｐｎ  が「減少」の情報を有する場合を説明するための説明図。
【図５】画素Ｐｎ  が「変化無」の情報を有する場合を説明するための説明図。
【図６】（ａ）対象画素中に「極大」の情報を有する画素だけが存在する場合を説明するための説明図。
（ｂ）対象画素中に「極大」の情報を有する画素が多い場合を説明するための説明図。
【図７】（ａ）対象画素中に「極小」の情報を有する画素だけが存在する場合を説明するための説明図。
（ｂ）対象画素中に「極小」の情報を有する画素が多い場合を説明するための説明図。
【図８】（ａ）対象画素中に「増大」の情報を有する画素だけが存在する場合を説明するための説明図。
（ｂ）対象画素中に「増大」の情報を有する画素が多い場合を説明するための説明図。
【図９】（ａ）対象画素中に「減少」の情報を有する画素だけが存在する場合を説明するための説明図。
（ｂ）対象画素中に「減少」の情報を有する画素が多い場合を説明するための説明図。
【図１０】（ａ）対象画素中に「極大」の情報を有する画素と、「極小」の情報を有する画素との数が同一の場合を説明するための説明図。
（ｂ），（ｃ）対象画素中に「増大」の情報を有する画素と、「減少」の情報を有する画素との数が同一の場合を説明するための説明図。
（ｄ）対象画素中に「変化無」の情報を有する画素が連続する場合を説明するための説明図。
【図１１】縮小コピーするときの動作を示すフローチャート。
【図１２】縮小コピーするときの動作を示すフローチャート。
【図１３】縮小コピーするときの動作を示すフローチャート。
【符号の説明】
１…複写機能付きファクシミリ装置、Ｓ４…情報付与処理、Ｓ１１，Ｓ１３，Ｓ１５，Ｓ１７，Ｓ１９…検出処理、Ｓ１２，Ｓ１４，Ｓ１６，Ｓ１８，Ｓ２０，Ｓ２１…保持処理。
【図１】
0003606160.tif 000002
【図２】
0003606160.tif 000003
【図３】
0003606160.tif 000004
【図４】
0003606160.tif 000005
【図５】
0003606160.tif 000006
【図６】
0003606160.tif 000007
【図７】
0003606160.tif 000008
【図８】
0003606160.tif 000009
【図９】
0003606160.tif 000010
【図１０】
0003606160.tif 000011
【図１１】
0003606160.tif 000012
【図１２】
0003606160.tif 000013
【図１３】
0003606160.tif 000014